(57)【要約】      （修正有）【課題】光の多角反射が実現され、ＬＥＤディスプレイの表示効果を高めることができるチップ式ＬＥＤディスプレイフェースマスクを提供する。【解決手段】本来断面が平状のレンズを円弧状に変更することにより、光の反射角を縮小され、ディスプレイ全体の鑑賞性を増やす。フェースマスクの構造は、基板１、基板１の上に複数個基板と一体化成型されたレンズ２を含んでいて、レンズ２はドットマトリクス式な配列構造で、ＬＥＤランプとＬＥＤチップ位置が対応しており、レンズ２がＬＥＤチップを囲んでいる突出したボール状である。フェースマスクの上部は円状または長円状である。上記の構造により、ＬＥＤディスプレイ表面の光反射は多角反射になり、良いコントラストが実現し、より忠実的に映像素材を再現する。屋外用ＬＥＤディスプレイフェースマスクに汎用できる。【選択図】図２
0003201378.tif 000002
【実用新案登録請求の範囲】
【請求項１】
一種チップ式LEDディスプレイフェースマスクは、下記の構造部が含んでいる：基板(1)、基板(1)と一体化成型されたレンズ(2)。レンズ(2)はドットマトリクス式配置となり、特徴的な構造はLEDランプとLEDのチップ位置が対等しており、レンズ(2)がLEDチップを囲んでいる突出しケースになる。フェースマスク上部は円状または長円状である。
【請求項２】
請求項１が記述したチップ式LEDディスプレイフェースマスクの特徴は：フェースマスクの上部断面図は３つの離心円弧組立によりなめらかな曲線形状である。
【請求項３】
請求項２に記述したチップ式LEDディスプレイフェースマスクの特徴は：レンズ(2)の材質は薄い茶色半透明なPC素材である。
【請求項４】
請求項３に記述したチップ式LEDディスプレイフェースマスクの特徴は：上記レンズ(2)は等距離ドット縦横マトリクスの配列である。
【考案の詳細な説明】
【技術分野】
【０００１】
本考案は、LEDディスプレイの表示効果を高めるため改良したフェスマスクの構造に関するものである。
【背景技術】
【０００２】
LEDディスプレイは発光ダイオードの配列で組立、半導体発光ダイオードの制御により現像する表示方式である。ドライブー方式は低電圧式で、既存のLEDディスプレイ構成は：発光ダイオード、PCB、制御ボード、電源、底カバー、フェースマスク、キャビネット、ケーブルなどがある。一般的に、LEDランプは、一般的に三原色を別々にパケージする砲弾型と、全ての色を同じランプの中にパケージするSMD型の2種類がある。フェースマスクは発光ダイオードの固定・保護役割がある。現在の技術は、フェースマスクの上にLEDチップの対等位置でレンズを設置し、ダイオードを囲む構造になり、LEDチップを保護を図った。但し、下記の図１が記載したように、レンズ使用せず、まだは現行技術のレンズは全て平面構造になり、屋外で使用する場合、太陽光は決めった方角へ単一反射し、実際の観覧効果が悪い。その上、レンズは突出し形状であるため、端部分の光反射により、ディスプレイの全体的な視認角度も影響にもなる。
【考案の概要】
【考案が解決しようとする課題】
【０００３】
上記問題を解決するために、本考案の目的は、レンズの構造を改良することにより、LEDディスプレイ表面に投影した光の多角反射することにより、LEDディスプレイの放送効果を高めることである。
【課題を解決するための手段】
【０００４】
本案において、その技術問題を解決するために採用した技術案は次の通りである。
【０００５】
一種チップ式LEDディスプレイフェースマスクは、下記の部品に構成されている：基板、基板と一体化成型されたレンズ。記述のレンズはドットマトリクス式配置となり、特徴的な構造はLEDランプとLEDのチップ位置が対等しており、レンズがLEDチップを囲んでいる突出しケースになる。フェースマスク上部は円状または長円状である。
【０００６】
解決案の技術改良として、上記述べたチップ式LEDディスプレイフェースマスクの特徴は：フェースマスクの上部断面図は3つの離心円弧がなめらかな曲線になることである。
【０００７】
上記案の技術改良として、述べたレンズの材質は薄い茶色半透明PCである。
【０００８】
上記案の技術改良として、述べたレンズは等距離ドットマトリクス縦横の配列である。
【考案の効果】
【０００９】
本新案はレンズの形状改良により、本来の平状レンズが変わり、太陽光の反射角が減少され、視認側によりディスプレイへの鑑賞性をアップした。レンズの断面は滑らかな円弧状で、光多方角反射が実現され、ディスプレイの鑑賞性をアップし、ディスプレイの視認角度が広くなる。
【００１０】
本実用新案は屋外用チップ式LEDディスプレイフェースマスクに応用できる。
【図面の簡単な説明】
【００１１】
本実用新案の実施技術案を詳しく説明するために画像を添付する。但し、添付画像は本実用新案の一部実施例であり、全て実施例代表するではない。本領域の技術者は創作的な労働がない前提に、以下の添付画像により他の設計案と付属画像が獲得できる。
【図１】図1は現存技術のレンズ見取り図である。
【図２】図2は本実用新案の全体的な見取り図である。
【図３】図3は本実用新案の局部拡大見取り図である。
【考案を実施するための形態】
【００１２】
これからは実施例と付属見取り図により本実用新案の構想、具体的な構造とその技術的な効果を明確かつ完備的な説明を行い、本実用新案の目的、特徴と効果を充分的な理解を求める。但し、添付画像は本実用新案の一部実施例であり、全ての実施例代表するではなく、本実用新案の実施例について、本領域の技術者が創作的な労働のない前提に獲得した他の実施例は、全て本実用新案の保護範囲に属する。また、本文が述べた全て関連/連結的な関係は、部品の直接連結だけではなく、具体的な実施状況により、連結部品の増減により、さらなる優良的な連結構造になれる。本実用新案の各技術特徴は相違のない前提に組立順番変更も可能である。
【００１３】
図の2と図の3によると、一種チップ式LEDディスプレイフェースマスクの構成は一枚の基板1、基板1の上に複数個基板1と一体化成型したレンズ2のことである、述べたレンズ2はドットマトリクス式配列であり、レンズ2の位置と外部設置したチップ式LEDディスプレイ上のLEDチップ位置が対等である。更に、述べたレンズ2が突出し、LEDチップを囲むケースになり、フェースマスクの上部は円状または長円状である。レンズ断面形状の変更で、本来の平状が円弧状になることにより、太陽光の反射角を減少し、観衆の鑑賞性がアップさせた。
【００１４】
上記案のLEDディスプレイフェイスマスク構造特徴は：フェースマスクの上部断面図は3つの離心円弧組立によりなめらかな曲線形状である。レンズ2はLEDを囲む構造であるため、横方向の寸法に一定な要求がある。その上、投射の効果を実現するために、レンズ２の高さも一定な寸法制限がある。寸法の要求を同時満たすために、本実用新案のレンズ上部の断面図は3つの離心円弧組立によりなめらかな曲線形状である。その他に、LEDチップの寸法が一定条件を満たす、断面構造が半円、まだは長円弧状である。
【００１５】
上記案の技術改良として、述べたレンズの材質は薄い茶色半透明PCである。
【００１６】
上記案の技術改良として、述べたレンズは等距離ドットマトリクス縦横の配列である。
【００１７】
以上の記載は、本考案の好ましい実施方式に過ぎない。基本的に同様の手段で本考案の目的を実現する技術案であれば、いずれも本考案の保護範囲内に属する。
【図１】
0003201378.tif 000003
【図２】
0003201378.tif 000004
【図３】
0003201378.tif 000005
【手続補正書】
【提出日】平成27年10月2日(2015.10.2)
【手続補正１】
【補正対象書類名】実用新案登録請求の範囲
【補正対象項目名】全文
【補正方法】変更
【補正の内容】
【実用新案登録請求の範囲】
【請求項１】
基板(1)と、上記基板(1)と一体化成型されたレンズ(2)とを備えたチップ式LEDディスプレイフェースマスクであって、
上記レンズ(2)はドットマトリクス式に配置されて、上記フェースマスクに外設されるLEDランプのLEDチップの位置に対応するとともに、当該LEDチップを囲む突出したケースになっており、
上記フェースマスクの上部の形状が円状または長円状であることを特徴とするチップ式LEDディスプレイフェースマスク。
【請求項２】
上記フェースマスクの上部は、その断面形状が中心の異なる３つの円弧からなるなめらかな曲線であることを特徴とする請求項１に記載のチップ式LEDディスプレイフェースマスク。
【請求項３】
上記レンズ(2)の材質は薄い茶色半透明なPC素材であることを特徴とする請求項２に記載のチップ式LEDディスプレイフェースマスク。
【請求項４】
上記レンズ(2)が等距離ドット縦横マトリクスに配列されたことを特徴とする請求項３に記載のチップ式LEDディスプレイフェースマスク。